(57)【要約】【課題】電源回路の異常時、音声回路への電源供給がオフするより前に、音声回路を確実にミュートさせる。【解決手段】電源回路２６に異常が発生して出力が低下すると、プロテクト回路２４が異常を検知してプロテクト信号を音声回路１８に出力し、同プロテクト信号を受信した音声回路１８は音声出力を停止して供給される電圧の不足に伴う音声ノイズが出力されないようにする。また、電源回路２６に異常が生じていないときには、マイコン２２が音声回路１８に音声を出力させたり音量を上昇させたりする信号やミュート信号を出力して音声回路１８を制御する。【選択図】図２
0003122764.tif 000002
【実用新案登録請求の範囲】
【請求項１】
テレビジョン放送信号を受信して同テレビジョン放送信号に基づく映像信号の映像を画面に表示するとともに同テレビジョン放送信号に基づく音声信号の音声をスピーカから出力するテレビジョン放送受信装置において、
当該テレビジョン放送受信装置は音声信号が入力されて同音声信号に信号処理を施してスピーカに出力する音声出力装置を有し、
当該音声出力装置は、
外部の商用電源などからＡＣコードなどを介して電源電圧を供給されて、同電源電圧を元に各種電圧を生成してテレビジョンセットを構成する各部に電源電圧を供給する電源回路と、
入力された音声信号をマイコンの出力する０〜５Ｖの音量制御信号に従って増幅するとともに、Ｈｉｇｈの電圧信号が入力されると同音声信号をスピーカに出力し、Ｌｏｗの電圧信号であるところのミュート信号が入力されると同音声信号の出力を停止する音声回路と、
上記電源回路の出力ラインに接続され、上記電源回路の出力電圧が所定の値を下回るとＬｏｗで表現されるプロテクト信号を出力するプロテクト回路と、
上記音声回路を制御して上記音声信号を増幅させるとともに、上記プロテクト回路からプロテクト信号を受信すると上記音声回路にミュート信号を出力するマイコンと、
上記プロテクト回路からプロテクト信号を出力するラインと上記マイコンと上記音声回路とを接続するラインとを、上記プロテクト信号を出力するラインにカソード側を向けて接続するダイオードと、
を備え、
上記電源回路の出力電圧が低下し始めると、上記プロテクト回路がそれを検知してＬｏｗのプロテクト信号を出力し、上記マイコンと上記音声回路とを接続するラインが上記ダイオードを介してプロテクト信号と同じＬｏｗに引き込まれ、上記音声回路にはＬｏｗのミュート信号が入力されてミュートされる
ことを特徴とするテレビジョン放送受信装置。
【請求項２】
音声信号が入力されて同音声信号に信号処理を施してスピーカに出力する音声出力装置において、
外部から供給される電源電圧から各種電圧を生成して出力する電源回路と、
上記電源回路から電源電圧を供給されて音声信号処理を行うとともにミュート信号が入力されると音声出力を停止する音声回路と、
上記電源回路の異常を検出してプロテクト信号を出力するプロテクト回路と、
上記プロテクト信号が入力されて、上記音声回路にミュート信号を出力するマイコンと
を備え、
上記プロテクト回路は上記異常を検出すると、上記プロテクト信号をミュート信号として上記音声回路に出力する
ことを特徴とする音声出力装置。
【請求項３】
上記ミュート信号は、音声出力時にＨｉｇｈであるとともにミュート時にはＬｏｗとなる信号とされ、
上記音声回路はＬｏｗが入力されるとミュートする
ことを特徴とする上記請求項２に記載の音声出力装置。
【請求項４】
上記プロテクト回路からプロテクト信号を出力するラインと上記マイコンと上記音声回路とを接続するラインとは、上記プロテクト信号を出力するラインにカソード側を向けたダイオードにて接続されている
ことを特徴とする上記請求項２または３に記載の音声出力装置。
【考案の詳細な説明】
【技術分野】
【０００１】
本考案は、音声出力装置およびテレビジョン放送受信装置に関する。
【背景技術】
【０００２】
従来のテレビジョン放送受信装置など音声出力装置を備えた電子機器においては、マイコンの制御により音声回路のミュートが行われていた。図４に従来の音声出力装置の概略構成ブロック図を、図５に従来の音声出力装置におけるミュートのタイミングを示すタイミングチャートを、それぞれ示す。
【０００３】
図４において、従来の音声出力装置５は、概略、電源回路１と、音声回路２と、マイコン３と、プロテクト回路４とから構成される。
電源回路１は、外部の商用電源などから電源電圧を供給されて、同電源電圧を元に各種電圧を生成して出力し、電源回路１や音声回路２やマイコン３などの音声出力装置５の各部に電源電圧を供給している。音声回路２は、音声信号が入力されて、同音声信号に所定の音声処理を施して図示しないスピーカなどに出力する。
【０００４】
そして、マイコン３は、音声出力装置５を構成する各部と電気的に接続しており、マイコン３内部の構成部品としてのＣＰＵが、同じくマイコン３内の構成部品であるＲＯＭやＲＡＭなどに書き込まれた各プログラムに従って、音声出力装置５全体を制御する。
【０００５】
プロテクト回路４は、電源回路１の出力電圧を監視しており、同出力電圧に過上昇や過減少などの異常が生じると、マイコン３にプロテクト信号を出力する回路である。マイコン３がプロテクト信号を受信すると、音声回路２にミュート信号を出力して音声回路２からスピーカなどへの音声信号出力を停止させる。
【０００６】
電源回路１への電源電圧の供給が停止してから、音声回路２の音声信号の出力が停止されるまでの音声出力装置５の動作を、図５のタイミングチャートを参照して説明する。同図に示すように、ＡＣコードが引き抜かれるなどして電源回路１への電源の供給が停止すると、電源回路１から出力される電源電圧は次第に減少していくため、プロテクト回路４がこの減少を検出してプロテクト信号を出力する。
【０００７】
すると、マイコン３がプロテクト信号を受信して音声回路２をミュートさせるためのミュート信号を生成して音声回路２に出力する。同ミュート信号を受信した音声回路２は、音声信号の出力を停止させるため、その後に電源回路からの電圧供給が不十分となって音声ノイズ（ボツ音）の音声信号を生成しても、同音声ノイズの音声信号をスピーカなどに出力しない。
【０００８】
このように、電源電圧の供給が突然停止されたときに、マイコンの制御により音声をミュートさせることについて、上述した内容と類似の構成が特許文献１〜３に開示されている。
【特許文献１】特開平４−２２００９３号
【特許文献２】特開昭６３−２３６４８５号
【特許文献３】特開平４−２１７８１８号
【考案の開示】
【考案が解決しようとする課題】
【０００９】
しかしながら、上述した従来の方法では、マイコン３がミュート信号を出力する前に電源回路１から音声回路２への電源供給が不十分となることがあった。そのため、音声回路２にマイコン３からのミュート信号が到達する前に、音声回路２がオフしてしまうことがあり、音声ノイズがスピーカなどに出力されてしまう可能性があった。
【００１０】
本考案は、上記課題にかんがみてなされたもので、電源回路の異常時、音声回路２への電源供給がオフするより前に、音声回路２を確実にミュートさせることが可能な音声出力装置およびテレビジョン放送受信装置の提供を目的とする。
【課題を解決するための手段】
【００１１】
上記目的を達成するために、請求項２では、音声信号が入力されて同音声信号に信号処理を施してスピーカに出力する音声出力装置において、外部から供給される電源電圧から各種電圧を生成して出力する電源回路と、上記電源回路から電源電圧を供給されて音声信号処理を行うとともにミュート信号が入力されると音声出力を停止する音声回路と、上記電源回路の異常を検出してプロテクト信号を出力するプロテクト回路と、上記プロテクト信号が入力されて、上記音声回路にミュート信号を出力するマイコンとを備え、上記プロテクト回路は上記異常を検出すると、上記プロテクト信号をミュート信号として上記音声回路に出力する構成としてある。
上記のように構成した請求項２にかかる考案において、上記電源回路に異常が発生して出力が低下すると、上記プロテクト回路が上記異常を検知してプロテクト信号を上記音声回路に出力し、同プロテクト信号を受信した上記音声回路は音声出力を停止して供給される電圧の不足に伴う音声ノイズが出力されないようにする。また、上記電源回路に異常が生じていないときには、上記マイコンが上記音声回路に音声を出力させたり音量を上昇させたりする信号やミュート信号を出力して上記音声回路を制御する。
【００１２】
上記ミュート信号としては、上記音声回路をミュートさせることが出来ればよく、様々な信号が考えられる。例えば、所定の閾値よりも大きい電圧信号であっても、所定の閾値よりも小さい電圧信号であっても、０Ｖの電圧信号であっても、複数の電圧信号の組み合わせであってもよく、これらの組み合わせであってもよい。
【００１３】
また、上記プロテクト回路としては、上記電源回路の異常を検出してプロテクト信号を出力することが出来ればよく、出力電圧や出力電流や入力電圧や入力電流などが、正常値よりも大きくずれたことを検知するものであればよい。そして、上記プロテクト信号と上記マイコンから出力されるミュート信号とは、上記音声回路に入力される時点で同一の信号である。
【００１４】
そして、上記請求項２のより具体的な構成として、請求項３では、上記請求項２に記載の音声出力装置において、上記ミュート信号は、音声出力時にＨｉｇｈであるとともにミュート時にはＬｏｗとなる信号とされ、上記音声回路はＬｏｗが入力されるとミュートする構成としてある。
【００１５】
これにより、複雑なミュート信号を生成する必要が無くなる。すなわち、上記音声回路をミュートさせるには、マイコンから出力されているＨｉｇｈの信号をＬｏｗに引き込むことで音声回路をミュートさせることが可能となる。従って簡易な回路を使用した構成などにて、電源異常時に音声回路をミュートさせることが可能となる。
【００１６】
さらに、請求項４にかかる考案では、上記請求項２または３に記載の音声出力装置において、上記プロテクト回路からプロテクト信号を出力するラインと上記マイコンと上記音声回路とを接続するラインとは、上記プロテクト信号を出力するラインにカソード側を向けたダイオードにて接続されている構成としてある。
すなわち、上記プロテクト信号が上記マイコンや上記音声回路に向けて電流が流れることが無い為、プロテクト信号による上記マイコンや上記音声回路の誤動作を招くおそれが無い。
【００１７】
さらに、請求項２〜４のより具体的な構成として、請求項１に記載の考案は、テレビジョン放送信号を受信して同テレビジョン放送信号に基づく映像信号の映像を画面に表示するとともに同テレビジョン放送信号に基づく音声信号の音声をスピーカから出力するテレビジョン放送受信装置において、当該テレビジョン放送受信装置は音声信号が入力されて同音声信号に信号処理を施してスピーカに出力する音声出力装置を有し、当該音声出力装置は、外部の商用電源などからＡＣコードなどを介して電源電圧を供給されて、同電源電圧を元に各種電圧を生成してテレビジョンセットを構成する各部に電源電圧を供給する電源回路と、入力された音声信号をマイコンの出力する０〜５Ｖの音量制御信号に従って増幅するとともに、Ｈｉｇｈの電圧信号が入力されると同音声信号をスピーカに出力し、Ｌｏｗの電圧信号であるところのミュート信号が入力されると同音声信号の出力を停止する音声回路と、上記電源回路の出力ラインに接続され、上記電源回路の出力電圧が所定の値を下回るとＬｏｗで表現されるプロテクト信号を出力するプロテクト回路と、上記音声回路を制御して上記音声信号を増幅させるとともに、上記プロテクト回路からプロテクト信号を受信すると上記音声回路にミュート信号を出力するマイコンと、上記プロテクト回路からプロテクト信号を出力するラインと上記マイコンと上記音声回路とを接続するラインとを、上記プロテクト信号を出力するラインにカソード側を向けて接続するダイオードと、を備え、上記電源回路の出力電圧が低下し始めると、上記プロテクト回路がそれを検知してＬｏｗのプロテクト信号を出力し、上記マイコンと上記音声回路とを接続するラインが上記ダイオードを介してプロテクト信号と同じＬｏｗに引き込まれ、上記音声回路にはＬｏｗのミュート信号が入力されてミュートされる構成としてある。
【考案の効果】
【００１８】
以上説明したように本考案は、電源回路の異常時、音声回路がオフするより前に、音声回路を確実にミュートさせることが可能な音声出力装置を提供することができる。すなわち、ＡＣコードが引き抜かれたりして、マイコンが音声回路をミュートする前に音声回路への電源供給が不十分となる前に、音声回路をミュートすることが可能となり、ボツ音などの音声ノイズが出力されることが無くなる。
【００１９】
また請求項３にかかる考案によれば、複雑なミュート信号を生成する必要が無くなる。すなわち、上記音声回路をミュートさせるには、マイコンから出力されているＨｉｇｈの信号をＬｏｗに引き込むことで音声回路をミュートさせることが可能となる。従って簡易な回路を使用した構成などにて、電源異常時に音声回路をミュートさせることが可能となる。
そして請求項４にかかる考案によれば、上記プロテクト信号が上記マイコンや上記音声回路に向けて電流が流れることが無い為、プロテクト信号による上記マイコンや上記音声回路の誤動作を招くおそれが無い。
さらに請求項１のような、より具体的な構成において、上述した請求項２〜請求項４の各考案と同様の効果を奏することはいうまでもない。
【考案を実施するための最良の形態】
【００２０】
以下、下記の順序に従って本考案の実施形態を説明する。
（１）テレビジョン放送受信装置の概略構成：
（２）ミュート回路：
（３）まとめ：
【００２１】
（１）テレビジョン放送受信装置の概略構成： 
図１は、本実施例におけるテレビジョン放送受信装置１００の概略構成を説明するブロック図である。なお、テレビジョン放送受信装置１００の構成のうち、本願発明と直接関連しない構成については、詳細な説明、及び図示を省略する。本実施例では、音声出力装置を搭載する電気電子機器として、テレビジョン放送受信装置の場合を例にとって説明するが、これに限定されることはなく、ステレオ、或いはラジオといったような音声を出力する各種電気電子機器に適用可能である。
【００２２】
同図において、テレビジョン放送受信装置１００は、概略、チューナ１０と、クロマＩＣ１２と、カソードアンプ１４と、ＣＲＴ１６と、音声回路１８と、スピーカ２０と、マイコン２２と、電源回路２６と、プロテクト回路２４と、リモコン受信部２８と、リモコン３０とから構成されている。
【００２３】
チューナ１０は、放送信号の入力源としてアンテナ１０ａを接続可能であり、所望周波数の信号を受信するとともに、受信した信号から所要の信号だけを選択して高周波増幅し、中間周波信号に変換して出力する。
【００２４】
クロマＩＣ１２は、概略、入力された中間周波信号を適正な利得で中間周波増幅し、映像検波および音声検波を行うとともに、映像検波出力に対しては所定の色復調処理を施してＲＧＢ信号として出力し、音声検波出力は音声信号として出力する。ＲＧＢ信号は外部のカソードアンプ１４に出力され、このカソードアンプ１４にて適宜増幅されてＣＲＴ１６に供給される。一方、音声信号についても同様にクロマＩＣ１２外部の音声回路１８に出力され、この音声回路１８にて適宜増幅されてスピーカ２０に供給される。
【００２５】
また、音声回路１８は、電源回路２６から電源電圧を供給されて音声信号処理を行うとともにミュート信号が入力されると音声出力を停止する。ミュート信号としては、音声出力時にＨｉｇｈであるとともにミュート時にはＬｏｗとなる信号となどであり、このとき音声回路１８はＬｏｗが入力されるとミュートする。
【００２６】
マイコン２２は、マイコン２２内部の構成部品としてのＣＰＵが、同じくマイコン２２内の構成部品であるＲＯＭやＲＡＭなどに書き込まれた各プログラムに従って、チューナ１０の選局制御や音声回路の音量制御・消音制御などのテレビジョンセット全体の制御を行っている。このマイコン２２と上述したチューナ１０やクロマＩＣ１２は所定のＩＩＣバスに接続されており、このＩＩＣバスを介して相互に通信可能となっている。また、リモコン受信部２８から電圧信号が入力され、同電圧信号に対応するキー操作を検知するとリモコン３０からの操作入力を受け付け、音声回路の音量制御・消音制御などの制御を行う。
【００２７】
電源回路２６は、外部の商用電源などからＡＣコードなどを介して電源電圧を供給されて、同電源電圧を元に各種電圧を生成して出力する。また、図１には示されていないが、電源回路２６はテレビジョンセットを構成する各部に電源電圧を供給している。
【００２８】
プロテクト回路２４は、電源回路２６の出力ラインや入力ラインなどのいずれかのラインに接続され、電源回路２６の電流や電圧の異常を監視している。そして異常を検出するとマイコン２２に対してプロテクト信号を出力する。例えば、電源回路２６の出力ラインに接続されて、出力電圧が所定の値を下回るとプロテクト信号を出力する回路などであり、具体的には、電源回路の２６の出力電圧（Ｖａ）と所定の基準電圧（Ｖｂ）とがコンパレータに入力されてＶａとＶｂの大小関係にて異なる信号を出力する回路や、抵抗やスイッチング素子や整流素子などの素子を用いて電源回路の出力電圧の異常を検知して信号を出力する回路などが考えられる。
【００２９】
プロテクト信号を受信したマイコン２２は、テレビジョンセットを正常に終了させる為の制御信号を出力したり、マイコン２２自体の制御プログラムを正常に終了させる処理を行う。具体的には、音声回路１８にミュート信号を出力して音声回路１８をミュートさせるなどの制御を行う。
【００３０】
リモコン受信部２８は、リモコン３０から送信されてきた制御コマンドを受信してて対応する電圧信号を生成する。リモコン３０は、不図示の電源のオン／オフボタンややチャンネルの切換ボタン、音量アップ／ダウンをおこなうための音量ボタン３０ａやミュートするためのミュートボタン３０ｂ等の通常行う各種テレビ操作ボタンを備える。
【００３１】
（２）ミュートに関わる回路構成： 
図２を参照して、本実施例におけるミュートに関わる回路構成を説明する。同図には、テレビジョン放送受信装置１００のミュートに関わる回路とその相関をブロック図にて示してあるが、図２の構成に何らかの音源から音声信号の入力がなされれば同構成のみで音声出力装置を構成することも可能である。
【００３２】
同図には電源回路２６と音声回路１８とマイコン２２とプロテクト回路２４とを示してあり、音声回路１８とマイコン２２には電源回路２６から電源電圧が供給されている。また、マイコン２２が音声回路１８に対してミュート信号を出力するラインと、プロテクト回路２４がマイコン２２に対してプロテクト信号を出力するラインとを、図２のようにダイオードＤ１にて接続する。同図において、ダイオードＤ１は、アノード側を前者のラインに向けると共にカソード側を後者のラインに向けてそれぞれ接続されている。
【００３３】
音声回路１８は、マイコン２２の出力する０〜５Ｖの音量制御信号が入力されて出力する音声信号の増幅率を決定する。すなわち、同音量制御信号の電圧値が大きいほど出力する音声信号の増幅率を大きくし、同音量制御信号の電圧値が小さいほど出力する音声信号の増幅率を低下させ、同音量制御信号の電圧値が０Ｖの時はミュートする。むろん、音量制御とは別に消音制御を行う構成としてもよく、この場合、音声回路に音声信号を出力させる制御信号をＨｉｇｈ（電圧あり）、音声信号を出力させない制御信号をＬｏｗ（０Ｖ）とする。
【００３４】
これにより、電源回路が正常に電圧を供給しているときに、プロテクト信号がマイコン２２や音声回路１８に入力されることを防ぎ、マイコン２２や音声回路１８の誤動作を防止できる。また、電源回路２６が異常となり、プロテクト回路からＬｏｗ（０Ｖ）のプロテクト信号が出力されるとダイオードＤ１を介してマイコン２２と音声回路１８とをつなぐラインをＬｏｗに引き込む。そのため、マイコン２２からＨｉｇｈの信号が出力されていても音声回路１８にはＬｏｗが入力され、音声回路１８はマイコン２２の制御によらずミュートされる。
【００３５】
また、プロテクト信号は、ＡＣコードが抜かれるなどして電源回路２６に電源電圧が供給されなくなったときに、音声回路１８に供給される電圧が不十分となって音声回路１８にて音声ノイズが生成されるよりも早いタイミングで出力される。
【００３６】
次に、図３のタイミングチャートを参照して、ミュートに関わる動作について説明する。図３は本実施例におけるミュートのタイミングをタイミングチャートにて示してある。
ＡＣコードが引き抜かれるなどして、電源回路２６の出力電圧が低下し始めると、プロテクト回路２４がそれを検知してプロテクト信号をＬｏｗにして出力する。このとき、マイコン２２はまだＬｏｗのプロテクト信号を受信していないため音声回路１８に対してミュート信号（Ｌｏｗ）を出力しておらず音声出力をさせる信号（Ｈｉｇｈ）を出力している。従って、音声回路１８は音声出力を継続している。
【００３７】
そして、プロテクト信号がＬｏｗになると、マイコン２２と音声回路１８とを接続するラインがダイオードＤ１を介してプロテクト信号と同じＬｏｗに引き込まれ、マイコン２２から出力される音声出力をさせる信号（Ｈｉｇｈ）はダイオードＤ１に流れて音声回路１８に到達しなくなる。すなわち、音声回路１８にはミュート信号（Ｌｏｗ）が入力されてミュートされる。
【００３８】
そして、電源回路２６から音声回路１８に供給される電圧が不十分となると音声回路１８にて音声ノイズが発生するが、ミュートされているので音声ノイズの音声信号が出力されることは無い。
【００３９】
（３）まとめ： 
つまり、電源回路２６に異常が発生して出力が低下すると、プロテクト回路２４が異常を検知してプロテクト信号を音声回路１８に出力し、同プロテクト信号を受信した音声回路１８は音声出力を停止して供給される電圧の不足に伴う音声ノイズが出力されないようにする。また、電源回路２６に異常が生じていないときには、マイコン２２が音声回路１８に音声を出力させたり音量を上昇させたりする信号やミュート信号を出力して音声回路１８を制御する。
【００４０】
以上説明したように、本実施例に対応する請求項２にかかる音声出力装置では、音声信号が入力されて同音声信号に信号処理を施してスピーカに出力する音声出力装置において、外部から供給される電源電圧から各種電圧を生成して出力する電源回路と、上記電源回路から電源電圧を供給されて音声信号処理を行うとともにミュート信号が入力されると音声出力を停止する音声回路と、上記電源回路の異常を検出してプロテクト信号を出力するプロテクト回路と、上記プロテクト信号が入力されて、上記音声回路にミュート信号を出力するマイコンとを備え、上記プロテクト回路は上記異常を検出すると、上記プロテクト信号をミュート信号として上記音声回路に出力する構成としてある。
上記のように構成した請求項２にかかる考案において、上記電源回路に異常が発生して出力が低下すると、上記プロテクト回路が上記異常を検知してプロテクト信号を上記音声回路に出力し、同プロテクト信号を受信した上記音声回路は音声出力を停止して供給される電圧の不足に伴う音声ノイズが出力されないようにする。また、上記電源回路に異常が生じていないときには、上記マイコンが上記音声回路に音声を出力させたり音量を上昇させたりする信号やミュート信号を出力して上記音声回路を制御する。
【００４１】
上記ミュート信号としては、上記音声回路をミュートさせることが出来ればよく、様々な信号が考えられる。例えば、所定の閾値よりも大きい電圧信号であっても、所定の閾値よりも小さい電圧信号であっても、０Ｖの電圧信号であっても、複数の電圧信号の組み合わせであってもよく、これらの組み合わせであってもよい。
【００４２】
また、上記プロテクト回路としては、上記電源回路の異常を検出してプロテクト信号を出力することが出来ればよく、出力電圧や出力電流や入力電圧や入力電流などが、正常値よりも大きくずれたことを検知するものであればよい。そして、上記プロテクト信号と上記マイコンから出力されるミュート信号とは、上記音声回路に入力される時点で同一の信号である。
【００４３】
そして、上記請求項２のより構成として、請求項３では、上記請求項２に記載の音声出力装置において、上記ミュート信号は、音声出力時にＨｉｇｈであるとともにミュート時にはＬｏｗとなる信号とされ、上記音声回路はＬｏｗが入力されるとミュートする構成としてある。
【００４４】
これにより、複雑なミュート信号を生成する必要が無くなる。すなわち、上記音声回路をミュートさせるには、マイコンから出力されているＨｉｇｈの信号をＬｏｗに引き込むことで音声回路をミュートさせることが可能となる。従って簡易な回路を使用した構成などにて、電源異常時に音声回路をミュートさせることが可能となる。
【００４５】
さらに、請求項４にかかる考案では、上記請求項２または３に記載の音声出力装置において、上記プロテクト回路からプロテクト信号を出力するラインと上記マイコンと上記音声回路とを接続するラインとは、上記プロテクト信号を出力するラインにカソード側を向けたダイオードにて接続されている構成としてある。
すなわち、上記プロテクト信号が上記マイコンや上記音声回路に向けて電流が流れることが無い為、プロテクト信号による上記マイコンや上記音声回路の誤動作を招くおそれが無い。
【００４６】
さらに、請求項２〜４のより具体的な構成として、請求項１に記載の考案は、テレビジョン放送信号を受信して同テレビジョン放送信号に基づく映像信号の映像を画面に表示するとともに同テレビジョン放送信号に基づく音声信号の音声をスピーカから出力するテレビジョン放送受信装置において、当該テレビジョン放送受信装置は音声信号が入力されて同音声信号に信号処理を施してスピーカに出力する音声出力装置を有し、当該音声出力装置は、外部の商用電源などからＡＣコードなどを介して電源電圧を供給されて、同電源電圧を元に各種電圧を生成してテレビジョンセットを構成する各部に電源電圧を供給する電源回路と、入力された音声信号をマイコンの出力する０〜５Ｖの音量制御信号に従って増幅するとともに、Ｈｉｇｈの電圧信号が入力されると同音声信号をスピーカに出力し、Ｌｏｗの電圧信号であるところのミュート信号が入力されると同音声信号の出力を停止する音声回路と、上記電源回路の出力ラインに接続され、上記電源回路の出力電圧が所定の値を下回るとＬｏｗで表現されるプロテクト信号を出力するプロテクト回路と、上記音声回路を制御して上記音声信号を増幅させるとともに、上記プロテクト回路からプロテクト信号を受信すると上記音声回路にミュート信号を出力するマイコンと、上記プロテクト回路からプロテクト信号を出力するラインと上記マイコンと上記音声回路とを接続するラインとを、上記プロテクト信号を出力するラインにカソード側を向けて接続するダイオードと、を備え、上記電源回路の出力電圧が低下し始めると、上記プロテクト回路がそれを検知してＬｏｗのプロテクト信号を出力し、上記マイコンと上記音声回路とを接続するラインが上記ダイオードを介してプロテクト信号と同じＬｏｗに引き込まれ、上記音声回路にはＬｏｗのミュート信号が入力されてミュートされる構成としてある。
【００４７】
なお、本考案は上記実施例に限られるものでないことは言うまでもない。当業者であれば言うまでもないことであるが、
・上記実施例の中で開示した相互に置換可能な部材および構成等を適宜その組み合わせを変更して適用すること
・上記実施例の中で開示されていないが、公知技術であって上記実施例の中で開示した部材および構成等と相互に置換可能な部材および構成等を適宜置換し、またその組み合わせを変更して適用すること
・上記実施例の中で開示されていないが、公知技術等に基づいて当業者が上記実施例の中で開示した部材および構成等の代用として想定し得る部材および構成等と適宜置換し、またその組み合わせを変更して適用すること
は本考案の一実施例として開示されるものである。
【図面の簡単な説明】
【００４８】
【図１】本実施例におけるテレビジョン放送受信装置１００の概略構成を説明するブロック図である。
【図２】本実施例におけるミュートに関わる回路構成を説明するブロック図である。
【図３】本実施例におけるにおけるミュートのタイミングを示すタイミングチャートである。
【図４】従来の音声出力装置の概略構成ブロック図である。
【図５】従来の音声出力装置におけるミュートのタイミングを示すタイミングチャートである。
【符号の説明】
【００４９】
１０…チューナ
１２…クロマＩＣ
１４…カソードアンプ
１８…音声回路
２０…スピーカ
２２…マイコン
２４…プロテクト回路
２６…電源回路
２８…リモコン受信部
１００…テレビジョン放送受信装置
Ｄ１…ダイオード
【図１】
0003122764.tif 000003
【図２】
0003122764.tif 000004
【図３】
0003122764.tif 000005
【図４】
0003122764.tif 000006
【図５】
0003122764.tif 000007